【手続補正書】
【提出日】平成17年5月25日(2005.5.25)
【手続補正１】
【補正対象書類名】特許請求の範囲
【補正対象項目名】全文
【補正方法】変更
【補正の内容】
【特許請求の範囲】
【請求項１】
旅行パッケージを識別するコンピュータにより実行する方法において、
パッケージ問合せに応答して少なくとも２つのタイプの複数のパッケージコンポーネントをコンピュータで検索し、
前記パッケージコンポーネントから第１のタイプの最良のパッケージコンポーネントをコンピュータにおいて決定し、
前記パッケージコンポーネントから複数の旅行パッケージを生成し、各前記旅行パッケージは、
前記少なくとも２つのタイプのパッケージコンポーネントのパッケージコンポーネントと、
前記最良のパッケージコンポーネントとを含んでおり、
前記複数の旅行パッケージを各パッケージに対する実時間価格により示すステップを含んでいる方法。
【請求項２】
前記パッケージコンポーネントは宿泊コンポーネントを含んでいる請求項１記載の方法。
【請求項３】
前記パッケージコンポーネントはさらにビークルコンポーネントを含んでいる請求項２記載の方法。
【請求項４】
前記パッケージコンポーネントはさらに輸送コンポーネントを含んでいる請求項２記載の方法。
【請求項５】
前記最良のパッケージコンポーネントは輸送コンポーネントを含んでいる請求項１記載の方法。
【請求項６】
前記最良のパッケージコンポーネントは宿泊コンポーネントを含んでいる請求項１記載の方法。
【請求項７】
前記最良のパッケージコンポーネントはビークルコンポーネントを含んでいる請求項１記載の方法。
【請求項８】
前記最良のパッケージコンポーネントはアドオンコンポーネントを含んでいる請求項１記載の方法。
【請求項９】
複数のパッケージを示すステップは２つのハイパーテキストページだけを使用してハイパーテキスト対話式環境内で行われる請求項１記載の方法。
【請求項１０】
さらに旅行パッケージの予約を含んでおり、複数の旅行パッケージを示し、前記複数の旅行パッケージの１つを予約する処理は７より少ないハイパーテキストページを使用して対話式ハイパーテキスト環境内で行われる請求項１記載の方法。
【請求項１１】
前記実時間価格は前記パッケージコンポーネントに対する対応する公表された価格に関連して決定されたパッケージコンポーネントの実時間価格を含んでいる請求項１記載の方法。
【請求項１２】
前記パッケージコンポーネントの実時間価格と、前記パッケージコンポーネントに対して公表された前記価格との間の関係は、前記パッケージコンポーネントに対する前記公表された価格に関して前記パッケージコンポーネントの前記実時間価格を最大にするために計算される請求項１１記載の方法。
【請求項１３】
前記実時間価格は前記公表された価格の予め定められた割合に対応するように売買価格を増加することにより計算される請求項１１記載の方法。
【請求項１４】
さらに、ハイパーテキスト対話式環境内の前記複数の旅行パッケージから所望のパッケージを選択するステップを含んでいる請求項１記載の方法。
【請求項１５】
さらに、前記所望のパッケージに一致する任意の追加額を決定するステップを含んでいる請求項１４記載の方法。
【請求項１６】
さらに、前記所望のパッケージへの任意の所望の追加額を選択し、前記追加額を前記所望のパッケージに付加するステップを含んでいる請求項１５記載の方法。
【請求項１７】
さらに、ハイパーテキスト対話式環境により任意の所望の追加額のための印刷可能なクーポン券を配送することを含んでいる請求項１６記載の方法。
【請求項１８】
前記クーポン券は不正行為防止エレメントを含んでいる請求項１７記載の方法。
【請求項１９】
前記不正行為防止エレメントは各クーポン券の登録された通し番号を含んでいる請求項１８記載の方法。
【請求項２０】
前記不正行為防止エレメントはクーポン券のタイプと権利を有するユーザに対応するセキュリティコードを含んでいる請求項１８記載の方法。
【請求項２１】
前記クーポン券はハイパーテキスト対話式環境で転送されるグラフィックイメージを含んでいる請求項１７記載の方法。
【請求項２２】
コンポーネントに対応する旅行パッケージを見つけるコンピュータにより実行される方法において、
第１のコンポーネントタイプのコンポーネントにおけるコンポーネントの問合せをコンピュータにおいて獲得し、
複数の旅行パッケージの省略されたリスティングと共に、第１のコンポーネントタイプの複数のコンポーネントに対する実時間価格を示すことにより前記コンポーネント問合せに対してコンピュータで応答するステップを含んでおり、各前記旅行パッケージは、
前記複数の第１のコンポーネントタイプのコンポーネントのうちの１つと、
前記コンポーネント問合せに一致する第２のコンポーネントタイプの別のコンポーネントとを有している方法。
【請求項２３】
前記コンポーネント問合せは航空便の問合せであり、前記第１のコンポーネントタイプの複数のコンポーネントはフライトコンポーネントである請求項２２記載の方法。
【請求項２４】
前記コンポーネント問合せは宿泊の問合せであり、前記第１のコンポーネントタイプの複数のコンポーネントは宿泊コンポーネントである請求項２２記載の方法。
【請求項２５】
前記コンポーネント問合せはビークルの問合せであり、前記第１のコンポーネントタイプの複数のコンポーネントはビークルコンポーネントである請求項２２記載の方法。
【請求項２６】
前記コンポーネントの問合せはアドオンの問合せであり、前記第１のコンポーネントタイプの複数のコンポーネントはアドオンコンポーネントである請求項２２記載の方法。
【請求項２７】
旅行パッケージを見つけるコンピュータによる実行方法において、
パッケージ問合せに応答して複数のタイプのパッケージコンポーネントをコンピュータにおいて検索し、
第２のタイプのパッケージコンポーネントの各クラスに対応する第１のタイプのパッケージコンポーネントを有する複数のパッケージを各パッケージの実時間価格で示すステップを含んでいる方法。
【請求項２８】
さらに、ハイパーテキスト対話式環境内で前記複数のパッケージから所望のパッケージを選択するステップを含んでいる請求項２７記載の方法。
【請求項２９】
旅行パッケージを識別するコンピュータの実行可能な命令を含んでいるコンピュータの読取可能な媒体において、
パッケージ問合せに応答して少なくとも２つのタイプの複数のパッケージコンポーネントをコンピュータにおいて検索し、
前記パッケージコンポーネントから最良のパッケージコンポーネントをコンピュータにおいて決定し、
前記パッケージコンピュータから複数の旅行パッケージを生成し、各前記旅行パッケージは、
前記少なくとも２つのタイプのパッケージコンポーネントのコンポーネントと、
前記最良のパッケージコンポーネントとを含んでおり、
前記複数の旅行パッケージを各パッケージに対する実時間価格により示すステップを含んでいるコンピュータの読取可能な媒体。
【請求項３０】
前記パッケージコンポーネントは宿泊コンポーネントを含んでいる請求項２９記載のコンピュータの読取可能な媒体。
【請求項３１】
前記パッケージコンポーネントはさらにビークルコンポーネントを含んでいる請求項３０記載のコンピュータの読取可能な媒体。
【請求項３２】
前記パッケージコンポーネントはさらに輸送コンポーネントを含んでいる請求項３０記載のコンピュータの読取可能な媒体。
【請求項３３】
前記最良のパッケージコンポーネントは輸送コンポーネントを含んでいる請求項２９記載のコンピュータの読取可能な媒体。
【請求項３４】
前記最良のパッケージコンポーネントは宿泊コンポーネントを含んでいる請求項２９記載のコンピュータの読取可能な媒体。
【請求項３５】
前記最良のパッケージコンポーネントはビークルコンポーネントを含んでいる請求項２９記載のコンピュータの読取可能な媒体。
【請求項３６】
前記最良のパッケージコンポーネントはアドオンコンポーネントを含んでいる請求項２９記載のコンピュータの読取可能な媒体。
【請求項３７】
複数の旅行パッケージを示すステップは２つのハイパーテキストページだけを使用してハイパーテキスト対話式環境内で行われる請求項２９記載のコンピュータの読取可能な媒体。
【請求項３８】
さらに旅行パッケージの予約を含んでおり、複数の旅行パッケージを示し、前記複数の旅行パッケージの１つを予約することは７より少ないハイパーテキストページを使用して対話式ハイパーテキスト環境内において行われる請求項２９記載のコンピュータの読取可能な媒体。
【請求項３９】
前記実時間価格は前記パッケージコンポーネントに対する対応する公表された価格に関連して決定されるパッケージコンポーネントの実時間価格を含んでいる請求項２９記載のコンピュータの読取可能な媒体。
【請求項４０】
前記パッケージコンポーネントの実時間価格と、前記パッケージコンポーネントに対する前記公表された価格との間の関係は、前記パッケージコンポーネントの前記公表された価格に関して前記各パッケージコンポーネントの前記実時間価格を最大にするために計算される請求項３９記載のコンピュータの読取可能な媒体。
【請求項４１】
前記実時間価格は前記公表されたパッケージ価格の予め定められた割合に対応するようにディスカウント価格を増加することにより計算される請求項３９記載のコンピュータの読取可能な媒体。
【請求項４２】
さらに、ハイパーテキスト対話式環境内の前記複数のパッケージから所望のパッケージを選択するステップを含んでいる請求項２９記載のコンピュータの読取可能な媒体。
【請求項４３】
さらに、前記所望のパッケージに一致する任意の追加額を決定するステップを含んでいる請求項４２記載のコンピュータの読取可能な媒体。
【請求項４４】
さらに、前記所望のパッケージへの任意の所望の追加額を選択し、前記追加額を前記所望のパッケージに付加するステップを含んでいる請求項４３記載のコンピュータの読取可能な媒体。
【請求項４５】
さらに、ハイパーテキスト対話式環境により任意の所望の追加額のための印刷可能なクーポン券を転送する請求項４４記載のコンピュータの読取可能な媒体。
【請求項４６】
前記クーポン券は不正行為防止エレメントを含んでいる請求項４５記載のコンピュータの読取可能な媒体。
【請求項４７】
前記不正行為防止エレメントは各クーポン券の登録された通し番号を含んでいる請求項４６記載のコンピュータの読取可能な媒体。
【請求項４８】
前記不正行為防止エレメントはクーポン券のタイプと権利を有するユーザに対応するセキュリティコードを含んでいる請求項４６記載のコンピュータの読取可能な媒体。
【請求項４９】
前記クーポン券はハイパーテキスト対話式環境で配送されるグラフィックイメージを含んでいる請求項４３記載のコンピュータの読取可能な媒体。
【請求項５０】
コンポーネントに対応する旅行パッケージを見つけるためのコンピュータにより実行可能な命令を含んでいるコンピュータの読取可能な媒体において、
第１のコンポーネントタイプのコンポーネントに対するコンポーネント問合せをコンピュータにおいて獲得し、
複数の旅行パッケージの省略されたリスティングと共に、第１のコンポーネントタイプの複数のコンポーネントの実時間価格を示すことにより前記コンポーネント問合せに対してコンピュータで応答するステップを含んでおり、各前記旅行パッケージは、
前記複数の第１のコンポーネントタイプのコンポーネントのうちの１つと、
前記コンポーネント問合せに一致する第２のコンポーネントタイプの別のコンポーネントとを有しているコンピュータの読取可能な媒体。
【請求項５１】
前記コンポーネント問合せは航空便の問合せであり、前記第１のコンポーネントタイプの複数のコンポーネントは航空便コンポーネントである請求項５０記載の方法。
【請求項５２】
前記コンポーネント問合せは宿泊の問合せであり、前記第１のコンポーネントタイプの複数のコンポーネントは宿泊コンポーネントである請求項５０記載の方法。
【請求項５３】
前記コンポーネント問合せはビークルの問合せであり、前記第１のコンポーネントタイプの複数のコンポーネントはビークルコンポーネントである請求項５０記載の方法。
【請求項５４】
前記コンポーネント問合せは追加額の問合せであり、前記第１のコンポーネントタイプの複数のコンポーネントはアドオンコンポーネントである請求項５０記載の方法。
【請求項５５】
旅行パッケージを見つけるためのコンピュータにより実行可能な命令を含んでいるコンピュータの読取可能な媒体において、
パッケージ問合せに応答して複数のタイプのパッケージコンポーネントをコンピュータで検索し、
第２のタイプのパッケージコンポーネントの各クラスに対応する第１のタイプのパッケージコンポーネントを有する複数のパッケージを各パッケージに対する実時間価格で示すコンピュータの読取可能な媒体。
【請求項５６】
さらに、ハイパーテキスト対話式環境内で前記複数のパッケージから所望のパッケージを選択する請求項５５記載のコンピュータの読取可能な媒体。
【請求項５７】
旅行パッケージを識別するコンピュータ装置において、
パッケージ問合せに応答して少なくとも２つのタイプの複数のパッケージコンポーネントを検索し、
前記パッケージコンポーネントから第１のタイプの最良のパッケージコンポーネントを決定し、
前記パッケージコンポーネントから複数の旅行パッケージを生成し、各前記旅行パッケージは、
前記少なくとも２つのタイプのパッケージコンポーネントのコンポーネントと、
前記最良のパッケージコンポーネントとを含んでおり、
前記複数の旅行パッケージを各パッケージに対する実時間価格により示すステップを含んでいるコンピュータ装置。
【請求項５８】
前記パッケージコンポーネントは宿泊コンポーネントを含んでいる請求項５７記載のコンピュータ装置。
【請求項５９】
前記パッケージコンポーネントはさらにビークルコンポーネントを含んでいる請求項５８記載のコンピュータ装置。
【請求項６０】
前記パッケージコンポーネントはさらに輸送コンポーネントを含んでいる請求項５８記載のコンピュータ装置。
【請求項６１】
前記最良のパッケージコンポーネントは輸送コンポーネントを含んでいる請求項５７記載のコンピュータ装置。
【請求項６２】
前記最良のパッケージコンポーネントは宿泊コンポーネントを含んでいる請求項５７記載のコンピュータ装置。
【請求項６３】
前記最良のパッケージコンポーネントはビークルコンポーネントを含んでいる請求項５７記載のコンピュータ装置。
【請求項６４】
前記最良のパッケージコンポーネントはアドオンコンポーネントを含んでいる請求項５７記載のコンピュータ装置。
【請求項６５】
２つのハイパーテキストページだけを使用してハイパーテキスト対話式環境内で生成される複数の旅行パッケージが示される請求項５７記載のコンピュータ装置。
【請求項６６】
さらに旅行パッケージの予約を含んでおり、複数の旅行パッケージを示し、前記複数の旅行パッケージの１つを予約する処理は７より少ないハイパーテキストページを使用して対話式ハイパーテキスト環境内で行われる請求項５７記載のコンピュータ装置。
【請求項６７】
前記実時間価格は前記パッケージコンポーネントに対する対応する公表された価格に関して決定されるパッケージコンポーネントに対する実時間価格を含んでいる請求項５７記載のコンピュータ装置。
【請求項６８】
前記パッケージコンポーネントの実時間価格と、前記パッケージコンポーネントの前記公表された価格との間の関係は、前記パッケージコンポーネントの前記公表された価格に関して前記パッケージコンポーネントの前記実時間価格を最大にするように計算される請求項６７記載のコンピュータ装置。
【請求項６９】
前記実時間価格は前記公表されたパッケージ価格の予め定められた割合に対応するようにディスカウント価格を増加することにより計算される請求項６９記載のコンピュータ装置。
【請求項７０】
さらに、ハイパーテキスト対話式環境内の前記複数の旅行パッケージから所望のパッケージを選択する請求項５７記載のコンピュータ装置。
【請求項７１】
さらに、前記所望のパッケージに一致する任意の追加額を決定する請求項７０記載のコンピュータ装置。
【請求項７２】
さらに、前記所望のパッケージへの任意の所望の追加額を選択し、前記追加額を前記所望のパッケージに付加する請求項７１記載のコンピュータ装置。
【請求項７３】
さらに、ハイパーテキスト対話式環境により任意の所望の追加額のための印刷可能なクーポン券を配送する請求項７２記載のコンピュータ装置。
【請求項７４】
前記クーポン券は不正行為防止エレメントを含んでいる請求項７３記載のコンピュータ装置。
【請求項７５】
前記不正行為防止エレメントは各クーポン券の登録された通し番号を含んでいる請求項７４記載のコンピュータ装置。
【請求項７６】
前記不正行為防止エレメントはクーポン券のタイプおよび権利を有するユーザに対応するセキュリティコードを含んでいる請求項７４記載のコンピュータ装置。
【請求項７７】
前記クーポン券はハイパーテキスト対話式環境で生成されるグラフィックイメージを含んでいる請求項７３記載のコンピュータ装置。
【請求項７８】
コンポーネントに対応する旅行パッケージを見つけるコンピュータ装置において、
第１のコンポーネントタイプのコンポーネントに対するコンポーネント問合せを獲得し、
複数の旅行パッケージの省略されたリスティングと共に、第１のコンポーネントタイプの複数のコンポーネントに対する実時間価格を示すことにより前記コンポーネント問合せに対して応答し、各前記旅行パッケージは、
前記複数の第１のコンポーネントタイプのコンポーネントのうちの１つと、
前記コンポーネント問合せに一致する第２のコンポーネントタイプの別のコンポーネントとを有しているコンピュータ装置。
【請求項７９】
前記コンポーネント問合せは航空便の問合せであり、前記第１のコンポーネントタイプの複数のコンポーネントは航空便コンポーネントである請求項７８記載のコンピュータ装置。
【請求項８０】
前記コンポーネント問合せは宿泊の問合せであり、前記第１のコンポーネントタイプの複数のコンポーネントは宿泊コンポーネントである請求項７８記載のコンピュータ装置。
【請求項８１】
前記コンポーネント問合せはビークルの問合せであり、前記第１のコンポーネントタイプの複数のコンポーネントはビークルコンポーネントである請求項７８記載のコンピュータ装置。
【請求項８２】
前記コンポーネント問合せは追加額の問合せであり、前記第１のコンポーネントタイプの複数のコンポーネントはアドオンコンポーネントである請求項７８記載のコンピュータ装置。
【請求項８３】
旅行パッケージを見つけるコンピュータ装置において、
パッケージ問合せに応答して複数のタイプのパッケージコンポーネントを検索し、
第２のタイプのパッケージコンポーネントの各クラスに対応する第１のタイプのパッケージコンポーネントを有する複数のパッケージを各パッケージに対する実時間価格と共に示すように動作するコンピュータ装置。
【請求項８４】
さらに、ハイパーテキスト対話式環境内で前記複数のパッケージから所望のパッケージを選択する請求項８３記載のコンピュータ装置。
【請求項８５】
旅行パッケージを見つけるためのコンピュータシステムにおいて、
ウェブサーバを介して旅行パッケージ問合せを旅行サーバへ送信するように動作するリクエスト装置と、
パッケージ問合せに応答して複数のパッケージコンポーネントを検索する旅行サーバとを具備し、
前記問合せは少なくとも２つのタイプのパッケージコンポーネントを識別し、
前記旅行サーバは、
前記パッケージコンポーネントから最良の旅行コンポーネントを決定し、
前記複数のパッケージコンポーネントから複数の旅行パッケージを生成し、各前記旅行パッケージは、
少なくとも２つのタイプのパッケージコンポーネントと、
前記最良のパッケージコンポーネントとを含んでおり、
前記複数の旅行パッケージを各パッケージに対する実時間価格により前記消費者装置へ示すステップを含んでいるコンピュータシステム。
【請求項８６】
前記消費者装置はさらに、ハイパーテキスト対話式環境内で前記複数の旅行パッケージから所望のパッケージを選択し、前記所望のパッケージの前記選択されたものを前記旅行サーバへ転送するように動作する請求項８５記載のシステム。
【請求項８７】
前記旅行サーバはさらに、前記所望のパッケージに一致する任意の追加額を決定し、前記追加額のリストを前記消費者装置へ転送するように構成されている請求項８６記載のシステム。
【請求項８８】
前記消費者装置はさらに、一致する追加額の前記リストから任意の所望の追加額を選択し、任意の所望の追加額の前記選択されたものを前記旅行サーバへ転送するように動作し、
前記旅行サーバはさらに前記追加額を前記所望のパッケージへ付加するように動作する請求項８７記載のシステム。
【請求項８９】
前記旅行サーバはさらに、前記所望の追加額に対するクーポン券情報を前記ウェブサーバへ転送するように動作し、
前記ウェブサーバはさらに、前記クーポン券情報から印刷可能なクーポン券を作成し、前記印刷可能なクーポン券を前記消費者装置へ転送するように動作する請求項８８記載のシステム。
【請求項９０】
前記クーポン券は不正行為防止エレメントを含んでいる請求項８９記載のシステム。
【請求項９１】
コンピュータの実行可能なルーチンを含んでいるコンピュータの読取可能な媒体において、
パッケージルーチンと、
パッケージ検索ルーチンと、
パッケージ生成ルーチンとを含み、
前記パッケージルーチンは、パッケージ問合せに応答してパッケージ検索ルーチンから少なくとも２つのタイプのパッケージコンポーネントを含む複数のパッケージコンポーネントを検索するように、コンピュータにおいて動作し、
前記パッケージ検索ルーチンは、パッケージ生成ルーチンと共同動作して前記パッケージ問合せに応答して、複数の所望のパッケージを識別するように、コンピュータにおいて動作し、
前記パッケージ生成ルーチンは、実時間価格と利用可能な情報とを有する少なくとも２つのタイプのパケットコンポーネントをそれぞれ含む前記複数のパッケージを前記パッケージルーチンにより検索される前記複数のパッケージコンポーネントから生成するように、コンピュータにおいて動作するコンピュータの読取可能な媒体。
【請求項９２】
さらに、前記パッケージ生成ルーチンにより生成される前記パッケージの１つを予約するように動作するブッキングルーチンを有している請求項９１記載のコンピュータの読取可能な媒体。
【請求項９３】
前記予約されたパッケージは少なくとも１つのアドオンコンポーネントを含み、前記パッケージルーチンはさらに、前記少なくとも１つの追加額のための少なくとも１つのクーポン券を生成するためにクーポン券生成ルーチンへ前記少なくとも１つの追加額に対するクーポン券情報を通信するように動作する請求項９２記載のコンピュータの読取可能な媒体。